(57)【要約】  本発明は、広帯域無線接続通信システムに関するものであって、アイドルモード状態制御のための方法であって、移動局は基地局へアイドルモードに状態遷移要請を表す登録解除要請を伝送する。基地局は移動局へアイドルモードに状態遷移を命令する登録解除命令を伝送し、移動局は登録解除命令に対する応答を伝送する。
2008524956.tif 000002
【特許請求の範囲】
【請求項１】
広帯域無線接続通信システムにおけるアイドルモード状態制御のための方法であって、
基地局は移動局へアイドルモードに状態遷移を命令する登録解除命令を伝送する過程と、
前記移動局は前記登録解除命令に対する応答メッセージを伝送する過程と
を含むことを特徴とするアイドルモード状態制御方法。
【請求項２】
前記基地局は、前記登録解除命令伝送と共に、前記登録解除に対する応答メッセージを受信するまで待機する第１待機タイマーを駆動する過程を更に含むことを特徴とする請求項１記載のアイドルモード状態制御方法。
【請求項３】
前記第１待機タイマー満了時、前記基地局は、前記登録解除命令を再伝送する過程を更に含むことを特徴とする請求項２記載のアイドルモード状態制御方法。
【請求項４】
前記第１待機タイマーは、前記基地局が前記登録解除命令伝送時毎に再駆動することを特徴とする請求項２記載のアイドルモード状態制御方法。
【請求項５】
前記登録解除命令の伝送時毎にカウント値が増加し、前記基地局が前記カウントが予め設定された最大再伝送回数と同一な値になる時まで前記基地局が前記登録解除命令を再伝送できることを特徴とする請求項１記載のアイドルモード状態制御方法。
【請求項６】
前記基地局は、前記登録解除命令伝送と共に前記移動局に対する連結情報を維持するための時間をカウントする第２待機タイマーを駆動する過程を更に含むことを特徴とする請求項１記載のアイドルモード状態制御方法。
【請求項７】
前記第２待機タイマーは、応答メッセージを受信できないことによって、基地局が前記第１待機タイマーの満了時点で登録解除命令メッセージを再伝送すると共に再駆動されることを特徴とする請求項６記載のアイドルモード状態制御方法。
【請求項８】
前記連結情報は、前記基地局と移動局との間に固有に使用する連結識別子情報を含むことを特徴とする請求項６記載のアイドルモード状態制御方法。
【請求項９】
前記連結情報は、前記基地局と多数の移動局との間に共通に使用する連結識別子情報を含むことを特徴とする請求項６記載のアイドルモード状態制御方法。
【請求項１０】
前記第２待機タイマー満了時、前記基地局は、前記移動局に対する前記連結情報を削除する過程を更に含むことを特徴とする請求項６記載のアイドルモード状態制御方法。
【請求項１１】
前記移動局は、前記応答メッセージを伝送し、アイドルモードに状態遷移する過程を更に含むことを特徴とする請求項１記載のアイドルモード状態制御方法。
【請求項１２】
広帯域無線接続通信システムにおける基地局が遂行するアイドルモード状態制御方法であって、
移動局へアイドルモードに状態遷移を命令する登録解除命令を伝送する過程と、
前記移動局から前記登録解除命令に対する応答メッセージを受信する過程と
を含むことを特徴とするアイドルモード状態制御方法。
【請求項１３】
前記基地局は、前記登録解除命令伝送と共に、前記登録解除応答メッセージを受信するまで待機する第１待機タイマーを駆動する過程を更に含むことを特徴とする請求項１２記載のアイドルモード状態制御方法。
【請求項１４】
前記第１待機タイマー満了時、前記基地局は、前記登録解除命令を再伝送する過程を更に含むことを特徴とする請求項１３記載のアイドルモード状態制御方法。
【請求項１５】
前記第１待機タイマーは、前記登録解除命令伝送時毎に再駆動することを特徴とする請求項１４記載のアイドルモード状態制御方法。
【請求項１６】
前記登録解除命令の伝送時毎にカウント値が増加し、前記カウントが予め設定された最大再伝送回数と同一な値になる時まで前記登録解除命令を再伝送できることを特徴とする請求項１３記載のアイドルモード状態制御方法。
【請求項１７】
前記基地局は、前記登録解除命令伝送と共に前記移動局に対する連結情報を維持する時間をカウントするために、第２待機タイマーを駆動する過程を更に含むことを特徴とする請求項１３記載のアイドルモード状態制御方法。
【請求項１８】
前記第２待機タイマーは、応答メッセージを受信できないことによって、前記基地局は前記第１待機タイマーの満了時点で登録解除命令メッセージを再伝送すると共に再駆動されることを特徴とする請求項１７記載のアイドルモード状態制御方法。
【請求項１９】
前記連結情報は、前記基地局と移動局との間に固有に使用する連結識別子情報を含むことを特徴とする請求項１７記載のアイドルモード状態制御方法。
【請求項２０】
前記連結情報は、前記基地局と多数の移動局との間に共通に使用する連結識別子情報を含むことを特徴とする請求項１７記載のアイドルモード状態制御方法。
【請求項２１】
前記第２待機タイマー満了時、前記基地局は前記移動局に対する前記連結情報を削除する過程を更に含むことを特徴とする請求項１７記載のアイドルモード状態制御方法。
【請求項２２】
広帯域無線接続通信システムにおける移動局が遂行するアイドルモード状態制御方法であって、
基地局からアイドルモードに状態遷移命令を意味する登録解除命令を受信する過程と、
前記基地局へ前記登録解除命令に対する応答メッセージを伝送する過程と
を含むことを特徴とするアイドルモード状態制御方法。
【請求項２３】
前記移動局は、前記登録解除応答メッセージを伝送し、アイドルモードに状態遷移する過程を更に含むことを特徴とする請求項２２記載のアイドルモード状態制御方法。
【請求項２４】
広帯域無線接続通信システムにおけるアイドルモード状態制御方法であって、
移動局は基地局へアイドルモードに状態遷移要求を意味する登録解除要請を伝送する過程と、
前記基地局は、前記移動局へアイドルモードに状態を遷移せよとの登録解除命令を伝送する過程と、
前記移動局は、前記基地局へ前記登録解除命令に対する応答を伝送する過程と
を含むことを特徴とするアイドルモード状態制御方法。
【請求項２５】
移動局と基地局が存在する広帯域無線接続通信システムにおけるアイドルモード状態制御のためのシステムであって、
前記移動局へアイドルモードに状態遷移を命令する登録解除命令を伝送する前記基地局と、
前記基地局へ前記登録解除命令に対する応答で登録解除応答を伝送する前記移動局と
を含むことを特徴とするアイドルモード状態制御システム。
【請求項２６】
前記基地局は、前記登録解除命令伝送と共に、前記登録解除応答メッセージを受信するまで待機する第１待機タイマーを駆動することを特徴とする請求項２５記載のアイドルモード状態制御システム。
【請求項２７】
前記基地局は、前記第１待機タイマー満了時、前記登録解除命令を再伝送することを特徴とする請求項２６記載のアイドルモード状態制御システム。
【請求項２８】
前記基地局は、前記登録解除命令伝送時毎に前記第１待機タイマーを再駆動することを特徴とする請求項２６記載のアイドルモード状態制御システム。
【請求項２９】
前記基地局は、前記登録解除命令の伝送時毎にカウント値を増加し、前記カウントが予め設定された最大再伝送回数を超過する時まで前記登録解除命令を再伝送できることを特徴とする請求項２５記載のアイドルモード状態制御システム。
【請求項３０】
前記基地局は、前記登録解除命令伝送と共に、前記移動局に対する連結情報を維持する時間をカウントするための第２待機タイマーを駆動することを特徴とする請求項２５記載のアイドルモード状態制御システム。
【請求項３１】
前記基地局は、前記第２待機タイマーが応答メッセージを受信できないことによって、前記第１待機タイマーの満了時点で登録解除命令メッセージを再伝送すると共に、再駆動することを特徴とする請求項３０記載のアイドルモード状態制御システム。
【請求項３２】
前記基地局が保有する前記連結情報は、前記基地局と移動局との間に固有に使用する連結識別子情報を含むことを特徴とする請求項３０記載のアイドルモード状態制御システム。
【請求項３３】
前記基地局が保有する前記連結情報は、前記基地局と多数の移動局との間に共通に使用する連結識別子情報を含むことを特徴とする請求項３０記載のアイドルモード状態制御システム。
【請求項３４】
前記基地局は、前記第２待機タイマー満了時、前記移動局に対する前記連結情報を削除することを特徴とする請求項３０記載のアイドルモード状態制御システム。
【請求項３５】
前記移動局は、前記登録解除応答を伝送し、アイドルモードに状態を遷移することを特徴とする請求項２５記載のアイドルモード状態制御システム。
【発明の詳細な説明】
【技術分野】
【０００１】
本発明は、広帯域無線接続通信システムに関し、特にアイドル（Idle）モードを有する移動局の状態遷移制御のためのシステム及び方法に関する。
【背景技術】
【０００２】
次世代の通信システムである４世代（4th Generation；以下、‘４Ｇ’と称する）通信システムでは、約１００Ｍｂｐｓのデータ伝送速度を有する多様なサービス品質（Quality of Service；以下、‘ＱｏＳ’と称する）を有するサービスをユーザに提供するための活発な研究が進んでいる。特に、現在の４Ｇ通信システムでは、無線近距離通信ネットワーク（Local Area Network；以下、‘ＬＡＮ’と称する）システム及び無線都市地域ネットワーク（Metropolitan Area Network；以下、‘ＭＡＮ’と称する）システムのような広帯域無線接続（ＢＷＡ：Broadband Wireless Access）通信システムに移動性（mobility）とサービス品質（ＱｏＳ：Quality of Service）を保障する形態で高速サービスを支援するようにする研究が活発に進んでおり、その代表的な通信システムがＩＥＥＥ（Institute of Electrical and Electronics Engineers）８０２．１６通信システムである。
【０００３】
ＩＥＥＥ ８０２．１６通信システムは、無線ＭＡＮシステムの物理チャネル（physical channel）に広帯域（broadband）伝送ネットワークを支援するために直交周波数分割多重（Orthogonal Frequency Division Multiplexing；以下、‘ＯＦＤＭ’と称する）／直交周波数分割多重接続（Orthogonal Frequency Division Multiple Access；以下、‘ＯＦＤＭＡ’と称する）方式を適用した通信システムである。
【０００４】
ＩＥＥＥ ８０２．１６通信システム規格によれば、移動局（Mobile Station；以下、‘ＭＳ’と称する）は、一定時間の間送受信するトラフィックが存在しない場合、アイドルモードで動作して電力消費を最小化することができる。したがって、ＭＳは、トラフィックが存在しない場合、アイドルモードで動作するために、現在通信を遂行しているサービング基地局へ登録解除要請（De-registration request；以下、‘ＤＲＥＧ−ＲＥＱ’と称する）メッセージを送信する。ＤＲＥＧ−ＲＥＱを受信したサービング基地局は、登録解除命令（DREG command；以下、‘ＤＲＥＧ−ＣＭＤ’と称する）メッセージをＭＳに送信してアイドルモードへの遷移動作を許す。下記の表１及び表２にＤＲＥＧ−ＲＥＱとＤＲＥＧ−ＣＭＤメッセージフォーマットを表した。まず、表１はＤＲＥＧ−ＲＥＱメッセージフォーマットを表した。
【０００５】
【表１】
2008524956.tif 000003
【０００６】
表１に表すように、登録解除要請メッセージにおいて、管理メッセージタイプ（Management Message Type；以下、‘Management Message Type’と称する）フィールドは、ＩＥＥＥ ８０２．１６で定義している媒体接続制御（Medium Access Control；以下、‘ＭＡＣ’と称する）管理メッセージを区別するためのフィールドである。登録解除要請コード（De-registration_Request_Code）フィールドは、ＤＲＥＧ−ＲＥＱメッセージを伝送するＭＳの目的を表示するためのフィールドである。TLV endoded parametersフィールドは、ＭＳとサービング基地局との間に結ばれた保安協商（Security Association；以下、‘ＳＡ’と称する）情報に基づいてＭＳを認証するためのパラメータ情報を含む。
下記の表２は、ＤＲＥＧ−ＣＭＤメッセージフォーマットを表した。
【０００７】
【表２】
2008524956.tif 000004
【０００８】
上記の表２に表すように、ＤＲＥＧ−ＣＭＤメッセージにおいて、Management Message Typeフィールドは、ＩＥＥＥ ８０２．１６で定義しているＭＡＣ管理メッセージを区別するためのフィールドである。動作コード（以下、‘Action Code’と称する）フィールドは、ＤＲＥＧ−ＣＭＤメッセージの目的を表示するフィールドであり、アイドルモードと関連したコード値は、０×０５、０×０６、及び０×０７値である。上記のAction Code値が０×０５の場合に、サービング基地局は、ＭＳのアイドルモード要求に対して承認をする。Action Code値が０×０６の場合に、サービング基地局はＴＬＶ＿登録期間（以下、‘TLV_REG-duration’と称する）フィールド値が表す時間値の以後にＭＳをしてＤＲＥＧ−ＲＥＱメッセージを再伝送するように命令する。Action Code値が０×０７の場合に、サービング基地局はＤＲＥＧ−ＣＭＤメッセージが再伝送される時までＭＳをして待機するように命令する。TLV_Paging Informationフィールドは、アイドルモード動作と関連したページンググループ識別子（Paging Group ID；以下、‘ＰＧ−ＩＤ’と称する）、ページング周期（以下、‘PAGING_CYCLE’と称する）及びページングオフセット（以下、‘PAGING_OFFSET’と称する）パラメータを含む。ＰＧ−ＩＤは、システムがＭＳの位置によって与えるパラメータである。即ち、ＭＳの現在の位置情報を表す。
【０００９】
PAGING_CYCLEパラメータは、ＭＳが要求したページング周期要求（Paging Cycle Request）を参照してシステムが決定する呼出周期である。上記PAGING_OFFSETパラメータは、システムが基地局のフレーム番号（number of frame）と、PAGING_CYCLEパラメータを通じて特定のＭＳを呼出すことができる時点を決定する時に使われるパラメータである。TLV_REG-durationフィールドは、Action Code値が０×０６の時に存在するフィールドであって、ＭＳがＤＲＥＧ−ＲＥＱメッセージを再伝送する時点を表すフィールドである。TLV_HMAC Tupleフィールドは、ＭＳとサービング基地局との間に結ばれたＳＡ情報に基づいて現在サービング基地局を認証する情報フィールドである。
【００１０】
一方、ＤＲＥＧ−ＣＭＤメッセージは、ＤＲＥＧ−ＲＥＱメッセージに対する応答で基地局からＭＳに伝送されることもあるが、ＭＳをアイドルモードに遷移させるために基地局がＭＳのアイドルモード遷移要求（ＤＲＥＧ−ＲＥＱ）を受信しない場合にも非要求（Unsolicited）メッセージで伝送されることができる。
【００１１】
したがって、ＭＳのアイドルモードへの遷移は、ＭＳの要求または基地局の要求により遂行される。これによって、基地局はＭＳがアイドルモードに遷移したと判断し、ＭＳがアイドルモードからアウェークモードにまた遷移するに必要とする最小限の連結情報のみ予め設定された時間の間維持し、残りの不要な情報は削除する。
【００１２】
上記の最小限の連結情報は、ＭＡＣ階層以上のセッション情報及び保安（Security and Privacy）に関連した情報を意味する。また、上記削除される情報はＭＡＣ階層以下のＡｉｒインターフェース資源を指す情報を意味する。言い換えると、下記で説明する連結識別子（connection identifier）のようなＭＡＣ階層の以下のデータ送受信のために必要とする連結構成情報などを意味する。
上記の連結識別子は、下記の表３のようなフォーマットを有する。
【００１３】
【表３】
2008524956.tif 000005
【００１４】
上記の表３に表す各フィールドを説明する。まず、Initial Ranging CIDは、ＭＳがPrimary CIDとBasic CIDを割り当てられるために基地局へ伝送するレーンジング要求（ＲＮＧ−ＲＲＥＱ）メッセージのための連結識別子であり、全てのＭＳはこの値（０×００００）を知っていなければならない。上記のＭＳは基地局との協商（association）過程中、レーンジング要求（ＲＮＧ−ＲＥＱ）メッセージを伝送することによって、自分のＭＡＣ住所を基地局に知らせる。基地局はＭＳのＭＡＣ住所とＭＳを指し示す連結識別子、即ち、Primary Management CID、Basic CIDをＭＳとマッピングする。
【００１５】
一方、連結識別子としては、上記のＣＩＤの他にもBroadcast CID、Multicast polling CID、Transport CID、Secondary Management CIDなどがある。
【００１６】
上記の表３から分かるように、連結識別子はＭＡＣフレームのヘッダに使われて連結を区分することに使われるが、その他に下記のトラフィック指示メッセージで説明する連結識別子の場合のように、ＭＡＣサービスデータユニット（ＳＤＵ：Service Data UNIT）に使われることもある。
【００１７】
上記の基地局は、アイドルモードに遷移するＭＳの連結識別子情報を削除する。したがって、アイドルモード状態のＭＳがＭＡＣ階層の上の上位セッションのデータ通信を再開するためには、連結識別子を基地局からまた割り当てを受けなければならない。このために、ＭＳは、基地局とネットワーク再進入（Network Re-Entry）過程を遂行しなければならない。言い換えると、ＭＳがアイドルモード状態からアウェーク、即ちサービス正常状態に遷移するためには、ネットワーク再進入過程を必要とする。
【００１８】
図１は、従来の広帯域無線接続通信システムにおいて、ＭＳが要求してアイドルモード状態に遷移する過程を示す信号流れ図である。
図１を参照すれば、まずアウェークモード状態１１１のＭＳ１００は、アイドルモード状態に遷移することを希望すれば（ステップ１１１）、基地局１５０へ登録解除要請コード（De-registration_Request_Code）値を‘０×０１’にセッティングしたＤＲＥＧ−ＲＥＱメッセージを伝送する（ステップ１１３）。登録解除要請コード値‘０×０１’は、ＭＳ１００がアイドルモードへの遷移を要求することを意味する。この際、ＭＳ１００はＤＲＥＧ−ＲＥＱメッセージ伝送と共にＴ３２タイマーを活性化させる（ステップ１２７）。Ｔ３２タイマーは、ＭＳ１００がＤＲＥＧ−ＲＥＱメッセージ伝送後、基地局１５０からＤＲＥＧ−ＣＭＤメッセージを受信するまで待機する時間である。仮に、Ｔ３２タイマーが満了すれば、ＭＳ１００は基地局１５０がＤＲＥＧ−ＲＥＱメッセージを受信していないことと見なして、基地局１５０へＤＲＥＧ−ＲＥＱメッセージを再伝送する。
【００１９】
一方、ＭＳ１００からＤＲＥＧ−ＲＥＱメッセージを受信した基地局１５０は、ＭＳ１００がアイドルモードへの遷移を希望することを認知し、ＭＳ１００へＤＲＥＧ−ＣＭＤメッセージを伝送する（ステップ１１５）。これによって、基地局１５０は、ＤＲＥＧ−ＣＭＤメッセージの伝送によりＭＳ１００がアイドルモード状態１２１への遷移を許す。ここで、ＤＲＥＧ−ＣＭＤメッセージは、Action Code値を０×０５にセッティングし、ＭＳ１００のアイドルモード要求に対して承認することを表す。
【００２０】
したがって、ステップ１１５の以後の基地局１５０は、ＭＳ１００の最小限の情報（上位階層のセッション情報及び保安情報）のみを残し、残りのＭＡＣ階層の以下のＡｉｒインターフェースと関連した全ての連結情報を削除する（ステップ１２５）。ここで、基地局１５０は、連結情報を直ちに削除するのでなく、管理資源維持タイマーを駆動させて（ステップ１１９）、タイマーが満了（expire）する時点（ステップ１２３）で連結情報を削除する（ステップ１２５）。これは、ＭＳ１００に対する情報を一定時間の間維持させて、ＭＳ１００から緊急に伝送できるメッセージを処理したり、ＭＳ１００のネットワーク再進入過程なしに円滑なアウェークモードへの再進入を図ろうとするものである。上記管理資源維持タイマーは、ＤＲＥＧ−ＣＭＤメッセージを伝送時に駆動またはリセットされるタイマーである。
【００２１】
一方、基地局１５０からＤＲＥＧ−ＣＭＤメッセージを受信したＭＳ１００は、Ｔ３２タイマーを終了し（ステップ１２９）、アイドルモードに遷移１１７して電力消耗を最小化する。
【００２２】
図２は、従来の広帯域無線接続通信システムにおいて、基地局が要求してＭＳがアイドルモード状態に遷移する過程を示す信号流れ図である。
図２を説明する前に、上記ＤＲＥＧ−ＣＭＤメッセージは、ＭＳから別途のアイドルモードへの遷移要求がなくても、基地局がＭＳのアイドルモードへの遷移を命令する非要求メッセージでもある。
【００２３】
図２を参照すれば、基地局２５０は、アウェークモード（ステップ２２３）状態であるＭＳ２００をアイドルモード状態に遷移させるためにＤＲＥＧ−ＣＭＤメッセージを伝送する（ステップ２１１）。また、基地局２５０は管理資源維持タイマーを駆動させた後（ステップ２１３）、このタイマーが満了すれば（ステップ２１９）、ＭＳ２００に対する連結情報を削除する（ステップ２２１）。即ち、基地局２５０は、ＤＲＥＧ−ＣＭＤメッセージを伝送するによって、ＭＳ２００がアイドルモードに遷移することと見なす。
一方、基地局２５０からＤＲＥＧ−ＣＭＤメッセージを受信した（ステップ２１１）ＭＳ２００は、アイドルモードに遷移する（ステップ２１５）。
【００２４】
図３は、従来のＭＳがＤＲＥＧ−ＣＭＤメッセージを受信できなかった場合の動作過程示す信号流れ図である。
図３を参照すれば、まずアウェークモード状態３１１のＭＳ３００がアイドルモード状態に遷移することを希望すれば、基地局３５０へＤＲＥＧ−ＲＥＱメッセージを伝送する（ステップ３１５）。ここで、ＤＲＥＧ−ＲＥＱメッセージの登録解除要請コード（De-registration_Request_Code）値は‘０×０１’である。この際、ＭＳ３００は、ＤＲＥＧ−ＲＥＱメッセージ伝送と共にＴ３２タイマーを活性化させた後（ステップ３１３）、Ｔ３２タイマーが満了する前まで基地局３５０からのＤＲＥＧ−ＣＭＤメッセージ受信を待機する。
【００２５】
一方、ＭＳ３００からＤＲＥＧ−ＲＥＱメッセージを受信した基地局３５０は、これに対する応答でＤＲＥＧ−ＣＭＤメッセージをＭＳ３００へ伝送する（ステップ３１９）。ここで、ＤＲＥＧ−ＣＭＤメッセージのAction Code値は０×０５であり、これはＭＳ３００のアイドルモード遷移要求に対して承認することを意味する。この際、基地局３５０は、前述したように、ＤＲＥＧ−ＣＭＤメッセージを伝送しながらＭＳ３００に対する連結情報を直ちに削除するのでなく、管理資源維持タイマーを駆動させる（ステップ３１７）。
【００２６】
しかしながら、基地局３５０が伝送したＤＲＥＧ−ＣＭＤメッセージがＭＳ３００に正しく伝送されていない場合（ステップ３１９）、Ｔ３２タイマーは満了する（ステップ３２１）。したがって、ＭＳ３００は、ステップ３１５で伝送したＤＲＥＧ−ＲＥＱメッセージが基地局３５０へ正しく伝送されていないことと見なして、基地局３５０へＤＲＥＧ−ＲＥＱメッセージを再伝送する（ステップ３２３）。この際、Ｔ３２タイマーも再駆動される（ステップ３２１）。
【００２７】
ステップ３２３でのＤＲＥＧ−ＲＥＱメッセージに対する応答で基地局３５０がＤＲＥＧ−ＣＭＤメッセージを伝送する（ステップ３２５）。しかしながら、ステップ３２５のＤＲＥＧ−ＣＭＤメッセージもＭＳ３００が正常的に受信していない場合、ＭＳ３００と基地局３５０は、ステップ３１５乃至ステップ３２３のような動作を繰り返すことになる。
【００２８】
言い換えると、ＭＳ３００がＤＲＥＧ−ＲＥＱメッセージに対する応答で、基地局３５０からＤＲＥＧ−ＣＭＤメッセージを受信できなければ、予め設定された再伝送回数だけ続けてＴ３２タイマーの満了時毎にＤＲＥＧ−ＲＥＱメッセージ再伝送を遂行する。
【００２９】
仮に、ＤＲＥＧ−ＲＥＱメッセージ再伝送回数が予め設定された再伝送回数を超過する場合、ＭＳ３００は、基地局３５０と通信杜絶状態であると認知し、基地局３５０とのＭＡＣ状態を初期化する（MAC Re-initialize）（ステップ３３７、３３９）。これによって、ＭＳ３００は、基地局３５０または他の基地局とネットワーク再進入過程を遂行する。
【００３０】
一方、基地局３５０は、ＭＳ３００からこれ以上ＤＲＥＧ−ＲＥＱメッセージを受信しないことにより、管理資源維持タイマーが満了してＭＳ３００に対する全ての連結情報を削除する（ステップ３４３）。
【００３１】
したがって、図３を参照して説明したように、ＭＳがＤＲＥＧ−ＲＥＱメッセージに対する応答で基地局のＤＲＥＧ−ＣＭＤメッセージを正常に受信できなかった場合、ＭＡＣ再初期化（Re-Initialize）を遂行することによって、基地局とＭＳとの間の状態同期を獲得することができる。言い換えると、上記基地局がＤＲＥＧ−ＣＭＤメッセージをＭＳに伝送すれば、基地局はＭＳがアイドルモード状態に遷移することを期待する。しかしながら、ＤＲＥＧ−ＣＭＤメッセージを受信できなかったＭＳは、アウェークモード状態の場合である。これは、基地局とＭＳとの間の状態同期不一致を引き起こす。しかしながら、ＭＳのＭＡＣ再初期化動作（ステップ３３９）により基地局とＭＳとの間の状態同期は一致することになる。
【００３２】
図４は、従来の基地局がＭＳに非要求アイドルモード状態遷移要求時に発生できる問題点を示す信号流れ図である。
図４を参照すれば、まず基地局４５０はアウェークモード４１１状態のＭＳ４００をアイドルモード状態に遷移させるために、非要求ＤＲＥＧ−ＣＭＤメッセージをＭＳ４００へ伝送する（ステップ４１３）。これによって、基地局４５０は、ＭＳ４００がアイドルモードに遷移することと見なすために、これと共に基地局４５０は管理資源維持タイマーを駆動させた後（ステップ４１５）、タイマーが満了すれば（ステップ４１９）ＭＳ４００に対する連結情報を削除する（ステップ４２１）。
【００３３】
しかしながら、ＭＳ４００は、基地局４５０からＤＲＥＧ−ＣＭＤメッセージを受信していないので、相変わらずアウェークモード状態４１１を維持している。したがって、基地局４５０は、駆動した管理資源維持タイマーが満了すれば（ステップ４１９）、ＭＳ４００に対する連結情報を削除することになる。これは、基地局４５０がＭＳ４００に対する全ての連結情報を削除するという意味である。これによって、ＭＳ４００と基地局４５０との間の通信は可能でない。
【００３４】
ＭＳ４００と基地局４５０との間の通信が可能になるには、ＭＳ４００が基地局４５０とネットワーク再進入過程を遂行しなければならない。しかしながら、ＭＳ４００は自分が相変わらずアウェークモード状態で動作していると認知しているので、ネットワーク再進入過程を遂行しない。以後、ＭＳ４００がアウェークモード状態で基地局４５０へデータ伝送を遂行する場合（ステップ４２３）、基地局４５０はＭＳ４００に対する連結情報を保有していないので、ＭＳ４００が伝送したメッセージを処理しなくて無視することになる（ステップ４２５）。
【００３５】
一方、基地局４５０は、ＭＳ４００に対して削除した連結情報、即ち連結識別子を基地局４５０に初期化過程を遂行する他のＭＳに割り当てることができる。例えば、第１ＭＳが使用した連結識別子が‘１’である場合、前述したように基地局は第１ＭＳに対する連結情報を削除する場合、連結識別子‘１’を第２ＭＳに割り当てることができる。これによって、第１ＭＳと、第２ＭＳは同一な連結識別子を保有し、これを利用してデータ送受信を遂行する。したがって、第１ＭＳが連結識別子‘１’を利用してデータを送信する場合、基地局はデータを第２ＭＳから送信したことと誤認して誤動作を起こすことができる。また、基地局が第２ＭＳへデータを送信する場合にも、第１ＭＳは自分に伝送されるデータと誤認して誤動作を起こすことができる。したがって、アウェークモードからアイドルモードに状態遷移するＭＳと、基地局の間に状態同期を一致させるための方案が必要である。
【発明の開示】
【発明が解決しようとする課題】
【００３６】
本発明は、上記のような問題点を解決ために発案したものであって、本発明の目的は、広帯域無線接続通信システムにおいて、基地局と移動局との間の状態同期を一致させるためのシステム及び方法を提供することにある。
【課題を解決するための手段】
【００３７】
前述したような目的を達成するための本発明の第１方法は、広帯域無線接続通信システムにおけるアイドルモード状態制御のための方法であって、基地局は移動局へアイドルモードに状態遷移を命令する登録解除命令を伝送する過程と、移動局は登録解除命令に対する応答メッセージを伝送する過程とを含むことを特徴とする。
【００３８】
前述したような目的を達成するための本発明の第２方法は、広帯域無線接続通信システムにおける基地局が遂行するアイドルモード状態制御方法であって、移動局へアイドルモードに状態遷移を命令する登録解除命令を伝送する過程と、移動局から登録解除命令に対する応答メッセージを受信する過程とを含むことを特徴とする。
【００３９】
前述したような目的を達成するための本発明の第３方法は、広帯域無線接続通信システムにおける移動局が遂行するアイドルモード状態制御方法であって、基地局からアイドルモードに状態遷移命令を意味する登録解除命令を受信する過程と、基地局へ登録解除命令に対する応答メッセージを伝送する過程とを含むことを特徴とする。
【００４０】
前述したような目的を達成するための本発明の第４方法は、広帯域無線接続通信システムにおけるアイドルモード状態制御方法であって、移動局は基地局へアイドルモードに状態遷移要求を意味する登録解除要請を伝送する過程と、基地局は、移動局へアイドルモードに状態を遷移せよとの登録解除命令を伝送する過程と、移動局は、基地局へ登録解除命令に対する応答を伝送する過程とを含むことを特徴とする。
【００４１】
前述したような目的を達成するための本発明のシステムは、移動局と基地局が存在する広帯域無線接続通信システムにおけるアイドルモード状態制御のためのシステムであって、移動局へアイドルモードに状態遷移を命令する登録解除命令を伝送する基地局と、基地局へ登録解除命令に対する応答で登録解除応答を伝送する移動局とを含むことを特徴とする。
【発明の効果】
【００４２】
前述したように、本発明は、広帯域無線接続通信システムにおいて、基地局はＭＳへ登録解除命令（ＤＲＥＧ−ＣＭＤ）を伝送して、ＭＳがアイドルモード状態に遷移するように要求し、ＭＳは、登録解除命令受信時、登録解除応答（ＤＲＥＧ−ＡＣＫ）を基地局へ伝送することによって、基地局とＭＳとの間に状態同期を一致させることができる利点がある。これによって、基地局とＭＳは状態同期不一致による誤動作を防止することができる。
【発明を実施するための最良の形態】
【００４３】
以下、本発明の望ましい実施形態を添付図面を参照しつつ詳細に説明する。 下記の説明では、本発明の動作の理解のために必要な部分だけを説明し、その他の部分に対する説明は本発明の要旨を簡単明瞭にするために省略する。
【００４４】
本発明は、広帯域無線接続通信システムであるＩＥＥＥ（Institute of Electrical and Electronics Engineers）８０２．１６通信システムにおいて、基地局が登録解除命令（De-REGistration command；以下、‘ＤＲＥＧ−ＣＭＤ’と称する）メッセージを移動局（Mobile Station；以下、‘ＭＳ’と称する）へ伝送すれば、ＭＳはＤＲＥＧ−ＣＭＤメッセージを受信したという確認（Acknowledgement）メッセージを基地局へ伝送することによって、基地局とＭＳとの間の状態同期を一致させることができるシステム及び方法を提案する。説明の便宜のため、本発明の実施形態は直交周波数分割多重接続（Orthogonal Frequnecy Division Multiplexin Access）通信システムで説明するが、本発明はＯＦＤＭＡ通信システムのみならず、他の通信システムで適用可能である。
【００４５】
したがって、本発明では、ＤＲＥＧ−ＣＭＤメッセージに対する応答メッセージでＭＳが伝送する登録解除−応答（De-REGistration-ACKnowledgement；以下、‘ＤＲＥＧ−ＡＣＫ’と称する）メッセージを提案する。ＤＲＥＧ−ＡＣＫメッセージの名称は一例として使用するだけであり、基地局の遷移要求命令に対して移動局が正常に受信したか否かに対する情報を含んで基地局へ送信する如何なるメッセージも本発明の範疇に含まれることができる。ＤＲＥＧ−ＡＣＫメッセージを新しく提案するによって、基地局はＤＲＥＧ−ＣＭＤメッセージをＭＳへ伝送する場合、ＤＲＥＧ−ＡＣＫメッセージ受信待機時間を意味するＤＲＥＧ−ＡＣＫ応答タイマー（DREG-ACK Response Timer）を駆動する。また、基地局はＤＲＥＧ−ＡＣＫ Response Timeが満了（expired）する度に、ＭＳがＤＲＥＧ−ＣＭＤメッセージを受信できなかったことと見なし、ＤＲＥＧ−ＣＭＤメッセージを再伝送する。したがって、基地局は本発明で新しく予め設定されたＤＲＥＧ−ＣＭＤメッセージの再伝送回数、即ちＤＲＥＧ−ＣＭＤ再伝送カウント（DREG-CMD Retries Count）値だけＤＲＥＧ−ＣＭＤメッセージを再伝送する。
そうすると、本発明で新しく提案するＤＲＥＧ−ＡＣＫメッセージフォーマットを下記の表４に表した。
【００４６】
【表４】
2008524956.tif 000006
【００４７】
上記の表４に表すように、Management Message Typeフィールドは、ＩＥＥＥ ８０２．１６で定義している媒体接続制御（Medium Access Control；以下、‘ＭＡＣ’と称する）管理メッセージを区別するためのフィールドである。Action Code from BSフィールドは、基地局から受信したＤＲＥＧ−ＣＭＤメッセージのAction Code値が記録される。仮に、ＤＲＥＧ−ＣＭＤメッセージが非要求ＤＲＥＧ−ＣＭＤメッセージである場合、上記Action Code from BSフィールドには‘０×０５’値が記録される。TLV_HMAC Tupleフィールドは、上記ＭＳと現在基地局との間に結ばれた保安協商（Security Association）情報に基づいた認証フィールドである。
【００４８】
一方、上記基地局で新しく提案されたパラメータ、DREG-ACK Response Timer及びDREG-CMD Retries Countに関して説明する。
【００４９】
DREG-ACK Response Timerは、基地局がＭＳにＤＲＥＧ−ＣＭＤメッセージを伝送する時点からＭＳからＤＲＥＧ−ＡＣＫメッセージを受信するまで受信待機できるタイマーである。DREG-ACK Response Timerは、基地局がＤＲＥＧ−ＣＭＤメッセージを伝送する時点に駆動を開始し、タイマーが満了すれば基地局はＤＲＥＧ−ＣＭＤメッセージを再伝送し、タイマー駆動を再開始する。
【００５０】
DREG-ACK Response Timer満了時毎に、基地局はＭＳがＤＲＥＧ−ＣＭＤメッセージを受信できなかったことと見なして、メッセージを再伝送する。この際、基地局はＤＲＥＧ−ＣＭＤ再伝送時毎にDREG-CMD Retries Countを１ずつ増加させ、増加したDREG-CMD Retries Count値が予め設定された設定回数（システム具現によって任意に設定可能な値である）を超過する時点に、これ以上ＭＳへＤＲＥＧ−ＣＭＤメッセージを伝送しない。この場合、基地局はＭＳとの通信不可状態と見なして、ＭＳに対する全ての連結情報を削除したり、ＭＳがアウェークモード状態を続けて維持することと見なすことができる。
【００５１】
図５は、本発明の第１実施形態による広帯域無線接続通信システムにおいて、基地局とＭＳとの間の登録解除手続きを示す信号流れ図である。
図５を参照すれば、基地局５５０はアウェークモード状態５１１であるＭＳ５００の電力消耗を最小化するためのアイドルモード（Idle Mode）状態に遷移させるために、ＭＳ５００へＤＲＥＧ−ＣＭＤメッセージを伝送する（ステップ５１３）。基地局５５０はＤＲＥＧ−ＣＭＤメッセージ伝送と共に、管理資源維持タイマー（管理資源維持タイマー）と、本発明で新しく提案したDREG-ACK Response Timerを各々駆動する（ステップ５１５、ステップ５１７）。
【００５２】
仮に、ＭＳ５００が基地局５５０が伝送したＤＲＥＧ−ＣＭＤメッセージをチャネル状態の劣悪のような理由により受信できないことになれば（ステップ５１３）、ＭＳ５００はアウェークモード状態をそのまま維持する。
【００５３】
したがって、基地局５５０は、DREG-ACK Response Timerが満了する時点（ステップ５２１）でＤＲＥＧ−ＣＭＤメッセージを再伝送する（ステップ５１９）。ここで、ＤＲＥＧ−ＣＭＤメッセージの再伝送により管理資源維持タイマーまた再駆動される（ステップ５２３）。一方、ステップ５１９で、DREG-CMD Retries Count値は以前のステップ５１３のDREG-CMD Retries Count値より１増加した値を有する。
【００５４】
ＭＳ５００が基地局５５０からＤＲＥＧ−ＣＭＤメッセージを受信すれば、これに対する応答で基地局５５０にＤＲＥＧ−ＡＣＫメッセージを伝送する（ステップ５２５）。同時に、ＭＳ５００はアイドルモードに状態遷移して電力消耗を最小化する（ステップ５２９）。
【００５５】
ＤＲＥＧ−ＡＣＫメッセージを受信した基地局５５０は、DREG-ACK Response Timer駆動を中止し（ステップ５２７）、ＭＳ５００がアイドルモードに状態遷移したことを認知する。以後、ステップ５２３で再駆動された管理資源維持タイマーが自動に満了する時点に、基地局５５０は、ＭＳ５００に対する連結情報を削除する（ステップ５３５）。
【００５６】
図６は、本発明の第２実施形態による広帯域無線接続通信システムにおいて、基地局とＭＳとの間の登録解除手続きを示す信号流れ図である。
図６を説明する前に、図６と図５との差異点は、管理資源維持タイマーの駆動条件である。上記の図５では、ＤＲＥＧ−ＣＭＤメッセージの伝送または再伝送時毎に管理資源維持タイマーが駆動または再駆動されたが、図６ではＭＳからＤＲＥＧ−ＡＣＫメッセージを受信した場合のみに管理資源維持タイマーが駆動される。
【００５７】
図６を参照すれば、基地局６５０はアウェークモード状態６１１であるＭＳ６００をアイドルモードに遷移させるために、ＭＳ６００へＤＲＥＧ−ＣＭＤメッセージを伝送する（ステップ６１３）。基地局６５０はＤＲＥＧ−ＣＭＤメッセージ伝送と共にDREG-ACK Response Timerを駆動する（ステップ６１５）。
【００５８】
仮に、ＭＳ６００が基地局６５０が伝送したＤＲＥＧ−ＣＭＤメッセージを受信できなければ（ステップ５１３）、ＭＳ６００はアウェークモード状態をそのまま維持する。
【００５９】
したがって、基地局６５０は、DREG-ACK Response Timerが満了する時点（ステップ６２１）でＤＲＥＧ−ＣＭＤメッセージを再伝送する（ステップ６１９）。一方、ステップ６１９で、DREG-CMD Retries Count値は、以前のステップ６１３のDREG-CMD Retries Count値より１増加した値を有する。
【００６０】
ＭＳ６００が基地局６５０からＤＲＥＧ−ＣＭＤメッセージを受信すれば、これに対する応答で基地局６５０へＤＲＥＧ−ＡＣＫメッセージを伝送する（ステップ６２５）。同時に、ＭＳ６００はアイドルモードに状態遷移して電力消耗を最小化する（ステップ６２９）。
【００６１】
上記ＤＲＥＧ−ＡＣＫメッセージを受信した基地局６５０は、DREG-ACK Response Timer駆動を中止し（ステップ６２７）、同時に管理資源維持タイマー駆動を開始する（ステップ６２３）。この際、基地局６５０は、ＭＳ６００がアイドルモードに状態遷移したことと仮定する。以後、管理資源維持タイマーが自動に満了する時点（６３３）に基地局６５０はＭＳ６００に対する連結情報を削除する（ステップ６３５）。
【００６２】
図７は、本発明の実施形態による基地局がＤＲＥＧ−ＣＭＤ伝送によるＤＲＥＧ−ＡＣＫを受信できない場合に遂行される登録解除手続きを示す信号流れ図である。
図７を参照すれば、基地局７５０はＭＳ７００へＤＲＥＧ−ＣＭＤメッセージを伝送する（ステップ７１３）。これと共に、基地局７５０は、DREG-ACK Response Timerを駆動し（ステップ７１５）、DREG-CMD Retries Count値を１増加させる（ステップ７１７）。
【００６３】
一方、基地局７５０の管理資源維持タイマーの駆動時点は、上記の図５または図６で説明した方式のうち、どれか１つの方式を使用することと仮定することにし、詳細な説明は省略する。
【００６４】
以後、基地局７５０は、DREG-ACK Response Timerが満了する時点でＤＲＥＧ−ＣＭＤメッセージを再伝送し（ステップ７１９）、これと同時に、DREG-ACK Response Timerを再駆動し（ステップ７２１）、DREG-CMD Retries Count値をまた１増加させる（ステップ７２３）。
【００６５】
また、基地局７５０は、DREG-ACK Response Timerが満了する時点でＤＲＥＧ−ＣＭＤメッセージを再伝送し（ステップ７２７）、これと同時に、DREG-ACK Response Timerを再駆動し（ステップ７２７）、DREG-CMD Retries Count値をまた１増加させる（ステップ７２９）。
【００６６】
ステップ７１３乃至ステップ７２９までは、基地局７５０がＤＲＥＧ−ＣＭＤメッセージをＭＳ７００に伝送するが、ＭＳ７００がこれを受信できないことによって、基地局のDREG-ACK Response Timerは満了／再駆動を繰り返して、DREG-CMD Retries Countは再伝送時毎に１ずつ増加することを表している。
【００６７】
前述したように、基地局７５０は予め設定された設定回数を超すＤＲＥＧ−ＣＭＤメッセージ再伝送時に（ステップ７３５）これ以上ＭＳ７００にアイドルモードへの状態遷移を要求することができない。これによって、基地局７５０は、ＭＳ７００がアウェークモード状態を続けて維持することと見なすこともでき、これとは異なり、ＭＳ７００との通信杜絶状態と見なして、ＭＳ７００に対する全ての連結情報を削除することもできる。
【００６８】
一方、上記の図５乃至図７では、基地局が伝送したＤＲＥＧ−ＣＭＤメッセージがＭＳで正常に受信できない場合を説明したが、上記ＭＳがＤＲＥＧ−ＣＭＤメッセージに対する応答で伝送したＤＲＥＧ−ＡＣＫメッセージを基地局が正常に受信できない場合にも本発明を適用できることは自明である。また、図１または図３のように、ＭＳが先にＤＲＥＧ−ＲＥＱメッセージを基地局へ伝送し、基地局がＤＲＥＧ−ＣＭＤメッセージをＭＳへ伝送すれば、上記ＭＳがＤＲＥＧ−ＡＣＫメッセージを伝送できることに留意する。
【００６９】
図８は、本発明の第１実施形態による基地局が遂行するＭＳとの登録解除手続きを示す流れ図である。
図８を参照すれば、まずステップ８０２で、基地局はＭＳのアイドルモードへの状態遷移を決定し、ステップ８０４に進行する。ステップ８０４で、基地局はDREG-CMD Retries Count値を‘０’に初期化し、ステップ８０６に進行する。ステップ８０６で、基地局はＭＳへＤＲＥＧ−ＣＭＤメッセージを伝送し、ステップ８０８に進行する。ステップ８０８で、基地局はＤＲＥＧ−ＣＭＤメッセージ伝送と共に、DREG-ACK Response Timer及びManagement Response Holding Timerを駆動し、ステップ８１０に進行する。ステップ８１０で、基地局はDREG-CMD Retries Count値を１増加し、ステップ８１２に進行する。ステップ８１２で、基地局はDREG-ACK Response Timerが満了すればステップ８１４に進行し、満了しない場合、ステップ８２０に進行する。
【００７０】
ステップ８１４で、基地局はDREG-CMD Retries Count値と予め設定された設定回数とを比較する。DREG-CMD Retries Count値が設定回数より等しいか小さければ、ステップ８０６に進行してＤＲＥＧ−ＣＭＤを再伝送し、DREG-CMD Retries Count値が設定回数より大きければステップ８１８に進行する。
【００７１】
ステップ８１８で、基地局はDREG-CMD Retries Count値が設定回数を超過することによって、ＭＳにアイドルモードへの状態遷移要求をこれ以上遂行しない。
一方、ステップ８２０で、基地局はDREG-ACK Response Timer満了前までＤＲＥＧ−ＡＣＫメッセージ受信を待機する。基地局がＤＲＥＧ−ＡＣＫメッセージを受信すればステップ８２２に進行し、受信できなければステップ８１２に進行する。
【００７２】
ステップ８２２で、基地局は管理資源維持タイマー満了を検査する。上記管理資源維持タイマー満了時、ステップ８２４に進行する。ステップ８２４で、基地局は管理資源維持タイマー満了によってＭＳの連結情報を削除し、ステップ８２６に進行する。ステップ８２６で、基地局はＭＳがアイドルモード状態に遷移したことと見なす。
【００７３】
図９は、本発明の第２実施形態による基地局が遂行するＭＳとの登録解除手続きを示す流れ図である。
図９を参照すれば、ステップ９０２で、基地局はＭＳのアイドルモードへの状態遷移を決定し、ステップ９０４に進行する。ステップ９０４で、基地局はDREG-CMD Retries Count値を‘０’に初期化し、ステップ９０６に進行する。ステップ９０６で、基地局はＭＳにＤＲＥＧ−ＣＭＤメッセージを伝送し、ステップ９０８に進行する。ステップ９０８で、基地局はＤＲＥＧ−ＣＭＤメッセージ伝送と共にDREG-ACK Response Timerを駆動し、ステップ９１０に進行する。ステップ９１０で、基地局はDREG-CMD Retries Count値を１増加し、ステップ９１２に進行する。ステップ９１２で、基地局はDREG-ACK Response Timerが満了すれば、ステップ９１４に進行し、満了しない場合、ステップ９２０に進行する。
【００７４】
ステップ９１４で、基地局はDREG-CMD Retries Count値と予め設定された設定回数とを比較する。上記DREG-CMD Retries Count値が設定回数より等しいか小さければステップ９０６に、DREG-CMD Retries Count値が設定回数より大きければステップ９１８に進行する。
【００７５】
ステップ９１８で、基地局はDREG-CMD Retries Count値が設定回数を超過するによって、ＭＳにアイドルモードへの状態遷移要求をこれ以上遂行しない。
一方、ステップ９２０で、基地局はDREG-ACK Response Timer満了前までＤＲＥＧ−ＡＣＫメッセージ受信を待機する。基地局がＤＲＥＧ−ＡＣＫメッセージを受信すればステップ９２１に進行し、受信できなければステップ９１２に進行する。
【００７６】
ステップ９２１で、基地局はＤＲＥＧ−ＡＣＫメッセージ受信によって管理資源維持タイマーを駆動し、ステップ９２２に進行する。ステップ９２２で、基地局は管理資源維持タイマーが満了するか否かを決定する。上記管理資源維持タイマー満了時、ステップ９２４に進行する。ステップ９２４で、基地局は管理資源維持タイマーが満了によってＭＳの連結情報を削除し、ステップ９２６に進行する。ステップ９２６で、基地局はＭＳがアイドルモード状態に遷移したことと見なす。
【００７７】
一方、本発明の詳細な説明では、具体的な実施形態に関して説明したが、本発明の範囲を逸脱しない限り、各種の実施形態が提供可能である。よって、本発明の真の技術的な範囲は上述の実施形態によって定まるものではなく、特許請求の範囲とその均等物によって定まるべきである。
【図面の簡単な説明】
【００７８】
【図１】従来の広帯域無線接続通信システムにおいて、ＭＳが要求してアイドルモード状態に遷移する過程を示す信号流れ図である。
【図２】従来の広帯域無線接続通信システムにおいて、基地局が要求してＭＳがアイドルモード状態に遷移する過程を示す信号流れ図である。
【図３】従来のＭＳＳがＤＲＥＧ−ＣＭＤメッセージを受信できなかった場合の動作過程を示す信号流れ図である。
【図４】従来の基地局がＭＳＳに非要求アイドルモード状態遷移要求時に発生できる問題点を示す信号流れ図である。
【図５】本発明の第１実施形態による広帯域無線接続通信システムにおいて、基地局とＭＳＳとの間の登録解除手続きを示す信号流れ図である。
【図６】本発明の第２実施形態による広帯域無線接続通信システムにおいて、基地局とＭＳＳとの間の登録解除手続きを示す信号流れ図である。
【図７】本発明の実施形態による基地局がＤＲＥＧ−ＣＭＤ伝送によるＤＲＥＧ−ＡＣＫメッセージを受信できない場合、登録解除手続きを示す信号流れ図である。
【図８】本発明の第１実施形態による基地局が遂行するＭＳＳとの登録解除手続きを示す流れ図である。
【図９】本発明の第２実施形態による基地局が遂行するＭＳＳとの登録解除手続きを示す流れ図である。
【符号の説明】
【００７９】
１００，２００，３００，４００，５００，６００，７００  ＭＳ
１５０，２５０，３５０，４５０，５５０，６５０，７５０  基地局
【図１】
2008524956.tif 000007
【図２】
2008524956.tif 000008
【図３】
2008524956.tif 000009
【図４】
2008524956.tif 000010
【図５】
2008524956.tif 000011
【図６】
2008524956.tif 000012
【図７】
2008524956.tif 000013
【図８】
2008524956.tif 000014
【図９】
2008524956.tif 000015
【国際調査報告】
2008524956.tif 000016
2008524956.tif 000017
2008524956.tif 000018